(57)【要約】【課題】振動の発生を抑制させ、ある程度の衝撃に耐えられるディスク装置を提供する。【解決手段】ディスクに対してレーザ光を照射させることでディスクのデータを読み取るピックアップ１０と、このピックアップ１０をディスクの半径方向に沿って駆動させるモータ２０と、このモータ２０に対し回動可能に取り付けられて、ピックアップ１０をディスクの半径方向に沿って移動させる送りねじ３０と、モータ２０に取り付けられ且つ送りねじ３０を取り囲む取付具４０とを備え、モータ２０と、送りねじ３０と、取付具４０とが、一つのものとして一体化されて、モータ組立体５０が構成され、取付具４０を構成する基部４５に、取付具４０の固有振動数を変化させることが可能な突出部４１が延長形成された。前記基部４５に対し、前記突出部４１は、折り曲げられた。【選択図】図１
2006079759.tif 000002
【特許請求の範囲】
【請求項１】
ディスクに対してレーザ光を照射させることで該ディスクのデータを読み取るピックアップと、
該ピックアップを該ディスクの半径方向に沿って駆動させるモータと、
該モータに対し回動可能に取り付けられて、該ピックアップを該ディスクの該半径方向に沿って移動させる送りねじと、
該モータに取り付けられ且つ該送りねじを取り囲む取付具と
を備え、
該モータと、該送りねじと、該取付具とが、一つのものとして一体化されて、モータ組立体が構成され、
該取付具を構成する基部に、該取付具の固有振動数を変化させることが可能な突出部が延長形成されたことを特徴とするディスク装置。
【請求項２】
前記基部に対し、前記突出部は、折り曲げられたことを特徴とする請求項１記載のディスク装置。
【請求項３】
前記モータ組立体が装着されるシャーシをさらに備え、
前記突出部に対応して、該シャーシに突出部収容部が設けられ、
該モータ組立体が該シャーシに取り付けられるときに、該突出部収容部に該突出部が合わせられたことを特徴とする請求項１又は２記載のディスク装置。
【請求項４】
前記突出部収容部は、前記突出部を囲む壁を備えるものとして構成され、
前記シャーシを備えるディスク装置本体に衝撃が加えられたときに、衝撃エネルギを該突出部に伝達するリブが、該壁に設けられたことを特徴とする請求項３記載のディスク装置。
【発明の詳細な説明】
【技術分野】
【０００１】
本発明は、例えばパーソナルコンピュータ（Personal Computer ）に装備されるディスク装置に関するものである。
【背景技術】
【０００２】
不図示のディスク装置が用いられて、ディスクのデータが読み出される。また、不図示のディスク装置が用いられて、ディスクにデータが記録される。ディスクとして、例えば、ＣＤ（コンパクトディスク）、ＤＶＤ（デジタルバーサティルディスク／デジタルビデオディスク）などが挙げられる。「ＣＤ」は、「Compact Disc」の略称とされる。また、「ＤＶＤ」は、「Digital Versatile Disc」もしくは「Digital Video Disc」の略称とされる。
【０００３】
従来のディスク装置として、例えばディスクの偏芯回転などによる振動や騒音の発生を抑制可能なディスク装置というものがある（例えば特許文献１参照）。
【特許文献１】特開平１０−２１６８０号公報（第１，４頁、図１〜図１２）
【発明の開示】
【発明が解決しようとする課題】
【０００４】
しかしながら、上記従来の不図示のディスク装置にあっては、ディスク装置が用いられてディスクにデータが記録されるときに、ディスクが振動すると、データが正確にディスクに記録されないことが懸念されていた。例えばディスクにデータが記録されるときに、ディスク装置の部品が共振し、共振により各部に振動が発生した場合、ディスクにもその振動成分が伝達される。このような現象が発生すると、ディスクに低品質な記録が行われることが懸念されていた。また、ディスクのデータが読み取られるときに、前記した現象と同様の現象が発生した場合、ディスクのデータを正確に読み取ることができないことも懸念される。
【０００５】
また、例えばディスク装置が落下し衝撃を受けたときに、ディスク装置に衝撃エネルギが加わりディスク装置がダメージを受けた場合、そのディスク装置は、使用不能となることが懸念されていた。ディスク装置に衝撃が加えられると、ディスク装置に変形などの不具合が生じ、高精度に調整されて組み立てられたディスク装置全体がダメージを受けることとなる。
【０００６】
本発明は、上記問題点を解決したディスク装置を提供することにある。具体的には、本発明は、上記した点に鑑み、振動の発生を抑制させ、ある程度の衝撃に耐えられるディスク装置を提供することを目的とする。
【課題を解決するための手段】
【０００７】
上記目的を達成するために、本発明の請求項１に係るディスク装置は、ディスクに対してレーザ光を照射させることで該ディスクのデータを読み取るピックアップと、該ピックアップを該ディスクの半径方向に沿って駆動させるモータと、該モータに対し回動可能に取り付けられて、該ピックアップを該ディスクの該半径方向に沿って移動させる送りねじと、該モータに取り付けられ且つ該送りねじを取り囲む取付具とを備え、該モータと、該送りねじと、該取付具とが、一つのものとして一体化されて、モータ組立体が構成され、該取付具を構成する基部に、該取付具の固有振動数を変化させることが可能な突出部が延長形成されたことを特徴とする。
【０００８】
上記構成により、ディスク装置の振動は、抑制される。モータ組立体を構成する取付具の基部に、突出部が延長形成されることで、取付具の固有振動数は、変化する。これにより、モータ組立体を介してピックアップに伝えられる有害な振動成分は、軽減される。従って、振動の発生を抑制させたディスク装置が提供されることとなる。
【０００９】
請求項２に係るディスク装置は、請求項１記載のディスク装置において、前記基部に対し、前記突出部は、折り曲げられたことを特徴とする。
【００１０】
上記構成により、モータ組立体は、補強される。取付具を構成する基部に対し、突出部が折り曲げられることで、取付具は、補強される。これにより、取付具を備えるモータ組立体は、補強される。
【００１１】
請求項３に係るディスク装置は、請求項１又は２記載のディスク装置において、前記モータ組立体が装着されるシャーシをさらに備え、前記突出部に対応して、該シャーシに突出部収容部が設けられ、該モータ組立体が該シャーシに取り付けられるときに、該突出部収容部に該突出部が合わせられたことを特徴とする。
【００１２】
上記構成により、例えばディスク装置が落下し衝撃を受けたときに、ディスク装置を構成するシャーシに加わる衝撃エネルギは、緩和される。モータ組立体がシャーシに取り付けられるときに、シャーシの突出部収容部に、モータ組立体を構成する取付具の突出部が合わせられるので、ディスク装置のシャーシに衝撃が加えられたときに、シャーシの突出部収容部に合わせられた取付具の突出部が、シャーシを歪めようとする力を受け止める。即ち、ディスク装置のシャーシに衝撃が加えられたときに、衝撃エネルギは、シャーシの突出部収容部に合わせられた取付具の突出部に伝達される。従って、ディスク装置に多少の衝撃が加えられることで、ディスク装置が使用不能になるということは、回避され易くなる。
【００１３】
請求項４に係るディスク装置は、請求項３記載のディスク装置において、前記突出部収容部は、前記突出部を囲む壁を備えるものとして構成され、前記シャーシを備えるディスク装置本体に衝撃が加えられたときに、衝撃エネルギを該突出部に伝達するリブが、該壁に設けられたことを特徴とする。
【００１４】
上記構成により、例えばディスク装置が落下し衝撃を受けたときに、ディスク装置を構成するシャーシに加わる衝撃エネルギは、緩和される。ディスク装置に衝撃が加えられたときに、衝撃エネルギは、突出部収容部を形成する壁のリブから取付具の突出部に伝わる。ディスク装置に大きい衝撃エネルギが加えられて、ディスク装置本体を構成するシャーシに、一瞬、大きい歪みが生じようとされた場合、突出部収容部を形成する壁のリブに、取付具の突出部が当接される。シャーシを歪めようとする力は、シャーシの突出部収容部に合わせられた取付具の突出部により受け止められる。即ち、ディスク装置を構成するシャーシに加えられた衝撃エネルギは、取付具の突出部を介して取付具に吸収される。従って、ディスク装置に衝撃が加えられてディスク装置がダメージを受け、ディスク装置が使用不能となることは、回避され易くなる。
【発明の効果】
【００１５】
以上の如く、請求項１記載の発明によれば、ディスク装置の振動を抑制させることができる。モータ組立体を構成する取付具の基部に、突出部が延長形成されることで、取付具の固有振動数を変化させることができる。これにより、モータ組立体を介してピックアップに伝えられる有害な振動成分を軽減させることができる。従って、振動の発生を抑制させたディスク装置を提供することができる。
【００１６】
請求項２記載の発明によれば、モータ組立体を補強することができる。取付具を構成する基部に対し、突出部を折り曲げることで、取付具を補強することができる。これにより、取付具を備えるモータ組立体を補強することができる。
【００１７】
請求項３記載の発明によれば、例えばディスク装置が落下し衝撃を受けたときに、ディスク装置を構成するシャーシに加わる衝撃エネルギは、緩和される。モータ組立体がシャーシに取り付けられるときに、シャーシの突出部収容部に、モータ組立体を構成する取付具の突出部が合わせられるので、ディスク装置のシャーシに衝撃が加えられたときに、シャーシの突出部収容部に合わせられた取付具の突出部が、シャーシを歪めようとする力を受け止める。即ち、ディスク装置のシャーシに衝撃が加えられたときに、衝撃エネルギは、シャーシの突出部収容部に合わせられた取付具の突出部に伝達される。従って、ディスク装置に多少の衝撃が加えられることで、ディスク装置が使用不能になるということを回避させ易くすることができる。
【００１８】
請求項４記載の発明によれば、例えばディスク装置が落下し衝撃を受けたときに、ディスク装置を構成するシャーシに加わる衝撃エネルギは、緩和される。ディスク装置に衝撃が加えられたときに、衝撃エネルギは、突出部収容部を形成する壁のリブから取付具の突出部に伝わる。ディスク装置に大きい衝撃エネルギが加えられて、ディスク装置本体を構成するシャーシに、一瞬、大きい歪みが生じようとされた場合、突出部収容部を形成する壁のリブに、取付具の突出部が当接される。シャーシを歪めようとする力は、シャーシの突出部収容部に合わせられた取付具の突出部により受け止められる。即ち、ディスク装置を構成するシャーシに加えられた衝撃エネルギは、取付具の突出部を介して取付具に吸収される。従って、ディスク装置に衝撃が加えられてディスク装置がダメージを受け、ディスク装置が使用不能となる不具合の発生を、回避させ易くすることができる。
【発明を実施するための最良の形態】
【００１９】
以下に本発明に係るディスク装置の一実施形態を図面に基づいて詳細に説明する。
【００２０】
図１は、本発明に係るディスク装置の一実施形態を示す斜視図、図２は、モータ組立体を示す斜視図、図３は、同じくモータ組立体を示す斜視図、図４は、シャーシを示す斜視図、図５は、図４の要部を示す拡大図である。
【００２１】
図１に示す側が、ディスク装置４００の裏面側とされ、これの逆側がディスク装置４００の表面側とされる。この明細書における「表」、「裏」の定義は、ディスク装置４００を説明するための便宜上のものとされる。
【００２２】
ディスク装置４００が用いられて、ディスク（図示せず）に記録された情報などのデータが再生される。また、ディスク装置が用いられて、不図示のディスクに情報などのデータの記録が行われる。ディスクとして、例えば、ＣＤ−ＲＯＭ，ＤＶＤ−ＲＯＭなどの読出し専用の光ディスクや、ＣＤ−Ｒ，ＤＶＤ−Ｒ，ＤＶＤ＋Ｒなどの追記型の光ディスクや、ＣＤ−ＲＷ，ＤＶＤ−ＲＷ，ＤＶＤ＋ＲＷ，ＤＶＤ−ＲＡＭなどの書込み／消去や書換え可能なタイプの光ディスク（図示せず）などが挙げられる。
【００２３】
上述した如く、「ＣＤ」は、「Compact Disc」の略称とされる。また、「ＤＶＤ」は、「Digital Versatile Disc」もしくは「Digital Video Disc」の略称とされる。また、「ＣＤ−ＲＯＭ」もしくは「ＤＶＤ−ＲＯＭ」の「ＲＯＭ」は、「Read Only Memory」の略称とされ、ＣＤ−ＲＯＭもしくはＤＶＤ−ＲＯＭは、データ読出し専用のものとされている。また、「ＣＤ−Ｒ」または「ＤＶＤ−Ｒ」もしくは「ＤＶＤ＋Ｒ」の「Ｒ」は、「Recordable」の略称とされ、ＣＤ−ＲまたはＤＶＤ−ＲもしくはＤＶＤ＋Ｒは、データの書込みが可能なものとされている。また、「ＣＤ−ＲＷ」または「ＤＶＤ−ＲＷ」もしくは
「ＤＶＤ＋ＲＷ」の「ＲＷ」は、「ReWritable」の略称とされ、ＣＤ−ＲＷまたはＤＶＤ−ＲＷもしくはＤＶＤ＋ＲＷは、データの書換えが可能なものとされている。また、「ＤＶＤ−ＲＡＭ」は、「Digital Versatile Disc Random Access Memory 」の略称とされ、データの読み書き・消去が可能なものとされている。
【００２４】
光ディスク装置４００は、前記各種光ディスクに記録されたデータを再生させたり、前記書込み可能もしくは書換え可能な各種光ディスクにデータを記録させたりするものとされている。光ディスク装置４００は、ＣＤ系のメディアと、ＤＶＤ系のメディアとに対応したものとされている。このように、光ディスク装置４００は、複数のメディアに対応したものとされている。
【００２５】
この光ディスク装置４００は、不図示の光ディスクを回転駆動させるスピンドルモータ組立体１００と、光ディスクに対してレーザ光を照射させることで光ディスクのデータを読み書きする光ピックアップ１０と、この光ピックアップ１０を光ディスクの半径方向に沿って精度よく移動可能とさせる一対の金属製ガイド軸８Ｉ，８IIと、光ピックアップ１０を光ディスクの半径方向に沿って駆動させるステッピングモータ２０（図１〜図３）と、このステッピングモータ２０に対し回動可能に取り付けられて、光ピックアップ１０を光ディスクの半径方向に沿って精度よく移動させる金属製リードスクリュー３０と、ステッピングモータ２０に取り付けられ且つリードスクリュー３０を取り囲む金属製取付具４０と、前記スピンドルモータ組立体１００（図１）や、前記一対のガイド軸８Ｉ，８IIや、前記取付具４０等が取り付けられる略円環状の合成樹脂製シャーシ２５０（図１，図４）とを備えるものとして構成されている。シャーシ（chassis ）とは、組込み台を意味する。
【００２６】
スピンドルモータ組立体１００（図１）は、光ディスク（図示せず）を回転駆動させるスピンドルモータ１１０と、スピンドルモータ１１０の回転などを制御する回路基板１２０と、前記スピンドルモータ１１０および前記回路基板１２０を支持する略平板状の金属製補強部材１５０とを備えるものとして構成されている。
【００２７】
補強部材１５０の軽量化を図り、且つ、補強部材１５０の振動を低減化させる各切欠部１６０，１７０，１８０が、板状の補強部材１５０に設けられている。また、シャーシ２５０（図４）に対し、スピンドルモータ組立体１００（図１）が位置決めされるための位置合せ部１５５ａ，１５５ｂが、補強部材１５０に設けられている。補強部材１５０に設けられた一対の位置合せ部１５５ａ，１５５ｂに対応して、シャーシ２５０（図４）の取付部２９５に、一対の位置決め部２９５ａ，２９５ｂが設けられている。
【００２８】
補強部材１５０に設けられた一方の位置合せ部１５５ａは、位置決め用の正円形の孔１５５ａとして形成されている。また、補強部材１５０に設けられた他方の位置合せ部１５５ｂは、補強部材１５０の寸法誤差や、シャーシ２５０（図４）の取付部２９５の寸法誤差を吸収可能な長円形の孔１５５ｂ（図１）として形成されている。
【００２９】
また、シャーシ２５０（図４）の取付部２９５に設けられた一対の位置決め部２９５ａ，２９５ｂは、補強部材１５０（図１）の一対の位置合せ用孔１５５ａ，１５５ｂに対応した略円柱形状の凸部２９５ａ，２９５ｂ（図４）として形成されている。
【００３０】
スピンドルモータ組立体１００（図１）がシャーシ２５０（図４）に取り付けられるときに、シャーシ２５０の取付部２９５の各凸部２９５ａ，２９５ｂに、スピンドルモータ組立体１００（図１）を構成する補強部材１５０の各位置合せ部１５５ａ，１５５ｂが嵌め合わせられることで、スピンドルモータ組立体１００は、精度よく容易にシャーシ２５０に装着される。
【００３１】
また、スピンドルモータ組立体１００は、ねじ３１０などの止具３１０が用いられて、合成樹脂製シャーシ２５０に固定される。補強部材１５０の各止具挿通孔（図示せず）に、各ねじ３１０が通され、シャーシ２５０（図４）の取付部２９５の各止具固定孔２９５ｐ，２９５ｑ，２９５ｒ，２９５ｓに、各ねじ３１０（図１）が合わせられて螺合されることで、スピンドルモータ組立体１００は、シャーシ２５０に固定される。
【００３２】
各ガイド軸８Ｉ，８IIは、金属製の真直ぐな円柱状のものとして形成されている。第一ガイド軸８Ｉは、シャーシ２５０（図４）の固定部２８８ａ，２８８ｂに装着される。また、第二ガイド軸８II（図１）は、シャーシ２５０（図４）の固定部２８８ｐ，２８８ｑに装着される。第一ガイド軸８Ｉと、第二ガイド軸８IIとは、平行に配設されている。第一ガイド軸８Ｉと、第二ガイド軸８IIとは、精度よく平行に配置されている。
【００３３】
一対の金属製ガイド軸８Ｉ，８IIに対応して、光ピックアップ１０を構成する金属製ハウジング１１に、一対のガイド部１２Ｉ，１２IIが設けられている。光ピックアップ１０を構成するハウジング１１の第一ガイド部１２Ｉに、第一ガイド軸８Ｉが合わせられている。また、光ピックアップ１０を構成するハウジング１１の第二ガイド部１２IIに、第二ガイド軸８IIが合わせられている。
【００３４】
ハウジング１１の第二ガイド部１２IIに、モータ組立体５０のリードスクリュー３０に接する合成樹脂製の摺接部材１５が装着されている。モータ組立体５０のステッピングモータ２０が回動し、ステッピングモータ２０に繋げられたリードスクリュー３０が回動することで、摺接部材１５が動かされ、これにより、摺接部材１５を備える光ピックアップ１０が動かされる。光ピックアップ１０のハウジング１１は、前記第一ガイド軸８Ｉおよび前記第二ガイド軸８IIに支持された状態で、ガイド軸８Ｉ，８IIの長手方向に沿って移動する。シャーシ２５０に固定された第一ガイド軸８Ｉと、第二ガイド軸８IIとは、精度よく平行に配置されているので、光ピックアップ１０は、不図示の光ディスクの半径方向に沿って正確に移動することができる。
【００３５】
光ピックアップは、「ＯＰＵ」と呼ばれている。「ＯＰＵ」は、「optical pickup」の略称とされる。
【００３６】
光ピックアップ１０にフレキシブル基板５が通電可能に接続されている。光ピックアップ１０から延設されたフレキシブル基板５は、回路基板１２０や他の回路基板（図示せず）に通電可能に接続される。フレキシブル基板５として、フレキシブルプリント回路体が用いられた。フレキシブルプリント回路体（Flexible Printed Circuit）は、「ＦＰＣ」と略称されている。ＦＰＣは、複数の回路導体（図示せず）が絶縁シートに印刷されて、例えば銅箔などの金属箔（図示せず）が絶縁シートに並設され、その上に保護層（図示せず）が設けられたものとされている。図１に示すＦＰＣ５の回路導体は、省略されている。ＦＰＣ５は、便宜上、簡略化されたものとして示されている。
【００３７】
各ガイド軸８Ｉ，８IIと、各ガイド軸８Ｉ，８IIに移動可能に支持された光ピックアップ１０とは、略円環状に形成されたシャーシ２５０の収容空間２５５（図１，図４）に位置する。
【００３８】
図１〜図３に示すモータ２０は、精度よく制御可能なステッピングモータ２０とされている。ステッピングモータは、パルス信号で直接制御可能なものとされ、パルス信号が入力されるごとに、一定角度ずつ回動するモータとされている。このようなことから、ステッピングモータは、高精度な位置決めが可能なモータとされている。ステッピングモータ２０が光ディスク装置本体２００（図１）に装備されることにより、光ピックアップ１０
を、精度よく制御させながら光ディスクの半径方向に沿って駆動させることができる。ステッピングモータ２０の電気接続部２５（図１〜図３）に、フレキシブル基板のサブ回路部（図示せず）が通電可能に接続され、サブ回路部を介してステッピングモータ２０に電流が流されることで、ステッピングモータ２０が回動する。図１〜図３に示すモータ２０は、ステッピングモータ２０が使用されているが、ステッピングモータ２０以外の他のモータ（２０）も使用可能とされる。
【００３９】
リードスクリュー３０（図２，図３）の一端部３１は、ステッピングモータ２０と接続され、ステッピングモータ２０が回動することで、リードスクリュー３０が回動する。また、リードスクリュー３０（図３）の他端部３２に、スラスト・ラジアル軸受部３２ｂが設けられている。また、取付具４０を構成する一側片４３に、ステッピングモータ２０が固定されている。また、リードスクリュー３０のスラスト・ラジアル軸受部３２ｂは、取付具４０を構成する他側片４４に、回動可能に取り付けられている。金属製取付具４０（図１〜図３）は、例えばブラケット（bracket ）等と呼ばれている。
【００４０】
図２および図３の如く、前記ステッピングモータ２０と、前記リードスクリュー３０と、前記取付具４０とが、一つのものとして一体化されて、ステッピングモータ組立体５０が構成されている。ステッピングモータ組立体５０は、例えば「Assy Stepping motor 」等と呼ばれている。
【００４１】
光ディスク装置４００（図１）を軽量化させるために、合成樹脂材料が用いられて、薄肉環状のシャーシ２５０（図４）が形成されている。シャーシ２５０は、複雑な形状のものとされているが、合成樹脂材料を用いて、大量生産性に優れる射出成形法に基づいて、シャーシ２５０を形成させているので、シャーシ２５０は、効率よく安価に製造される。
【００４２】
光ディスク装置本体２００（図１）を構成するシャーシ２５０に、ステッピングモータ組立体５０が組み付けられることで、光ディスク装置４００が構成される。光ディスク装置本体２００は、上記スピンドルモータ組立体１００と、上記光ピックアップ１０と、上記ガイド軸８Ｉ，８IIと、上記シャーシ２５０とを備えるものとして構成されている。略円環状に形成されたシャーシ２５０の収容空間２５５内において、一対のガイド軸８Ｉ，８IIに精度よく支持された光ピックアップ１０は、ディスクの内周側と、ディスクの外周側との間を横断するように、ディスクの半径方向に沿って移動する。このようなことから、光ピックアップ１０を備える上記光ディスク装置４００は、例えばトラバースメカ等と呼ばれる。
【００４３】
金属製取付具４０を構成する基板４５に、取付具４０の固有振動数を変化させることが可能な突出部４１が延長形成されている。
【００４４】
前記取付具４０を備える光ディスク装置４００が構成されていれば、光ディスク装置４００の振動を抑制させることができる。ステッピングモータ組立体５０を構成する金属製取付具４０の基板４５に、第一突出部４１が延長形成されることで、取付具４０の固有振動数を変化させることができる。ステッピングモータ組立体５０を構成する金属製取付具４０の基板４５に、第一突出部４１が延長形成されていれば、第一突出部（４１）が設けられることなく省略された取付具（４０）の固有振動数を、ずらすことができる。ステッピングモータ組立体５０を構成する金属製取付具４０の基板４５に、第一突出部４１を延長形成させることで、ステッピングモータ組立体５０を介して光ピックアップ１０に伝えられる有害な振動成分を軽減させることができる。
【００４５】
取付具４０を構成する基板４５に、取付具４０の固有振動数を変化させることが可能な第一突出部４１が延長形成されていれば、光ディスク装置４００の光ピックアップ１０が
用いられて、不図示の光ディスクにデータの記録が行われているときや、不図示の光ディスクのデータが読み取られているときに、ステッピングモータ組立体５０から光ピックアップ１０に有害な振動が伝えられ、この振動により、光ピックアップ１０に誤動作が生じるということは、回避される。従って、振動の発生を抑制させた光ディスク装置４００が、光ディスク装置４００の組立メーカや、光ディスク装置４００の使用者などに提供されることとなる。
【００４６】
また、取付具４０を構成する基板４５に、第二突出部４２が延長形成されている。この第二突出部４２は、合成樹脂製シャーシ２５０（図４）に対する取付具４０（図２，図３）の装着部４２とされている。取付具４０の装着部４２に対応して、ステッピングモータ組立体５０が装備される取付部２９２（図４）が、シャーシ２５０に設けられている。
【００４７】
取付具４０（図２，図３）の装着部４２に、シャーシ２５０（図４）に対しステッピングモータ組立体５０（図２，図３）の取付具４０が位置決めされるための位置合せ部４２ａ，４２ｂが設けられている。取付具４０（図２，図３）の装着部４２に設けられた一対の位置合せ部４２ａ，４２ｂに対応して、シャーシ２５０（図４）の取付部２９２に、一対の位置決め部２９２ａ，２９２ｂが設けられている。
【００４８】
図２および図３の如く、取付具４０の装着部４２に設けられた一方の位置合せ部４２ａは、位置決め用の正円形の孔４２ａとして形成されている。また、取付具４０の装着部４２に設けられた他方の位置合せ部４２ｂは、取付具４０の装着部４２の寸法誤差や、シャーシ２５０（図４）の取付部２９２の寸法誤差を吸収可能な長円形の孔４２ｂ（図２，図３）として形成されている。
【００４９】
また、シャーシ２５０（図４）の取付部２９２に設けられた一対の位置決め部２９２ａ，２９２ｂは、取付具４０（図２，図３）の装着部４２における一対の位置合せ用孔４２ａ，４２ｂに対応した略円柱形状の凸部２９２ａ，２９２ｂ（図４）として形成されている。
【００５０】
ステッピングモータ組立体５０（図２，図３）がシャーシ２５０（図４）に取り付けられるときに、シャーシ２５０の取付部２９２の各凸部２９２ａ，２９２ｂに、ステッピングモータ組立体５０（図２，図３）を構成する取付具４０の装着部４２の各位置合せ部４２ａ，４２ｂが嵌め合わせられることで、ステッピングモータ組立体５０は、精度よく容易にシャーシ２５０に装着される（図１）。
【００５１】
また、ステッピングモータ組立体５０は、ねじ３００などの止具３００が用いられて、シャーシ２５０に固定される。取付具４０（図２，図３）の装着部４２の各止具挿通孔４２ｐ，４２ｑに、各ねじ３００（図１）が通され、シャーシ２５０（図４）の取付部２９２の各止具固定孔２９２ｐ，２９２ｑに、各ねじ３００（図１）が合わせられて螺合されることで、ステッピングモータ組立体５０は、シャーシ２５０に固定される。
【００５２】
図２および図３の如く、取付具４０を構成する略平板状の基板４５に対し、第一突出部４１は、略直角に折り曲げられ、取付具４０に曲げ部４６が形成されている。また、取付具４０を構成する略平板状の基板４５に対し、第二突出部４２は、折り曲げられて延長形成され、取付具４０に第二曲げ部４７が形成されている。第二突出部４２は、第二曲げ部４７を介して基板４５から突設され、基板４５と略平行に延設されている。また、略平板状の基板４５に対し、一側片４３は、略直角に折り曲げられ、取付具４０に第三曲げ部４８が形成されている。また、略平板状の基板４５に対し、他側片４４は、略直角に折り曲げられ、取付具４０に第四曲げ部４９が形成されている。金属鋼板にプレス打抜き加工およびプレス曲げ加工などのプレス加工が行われることで、各曲げ部４６，４７，４８，４
９を備える取付具４０が形成される。
【００５３】
取付具４０に各曲げ部４６，４７，４８，４９を形成させることにより、ステッピングモータ組立体５０を補強することができる。取付具４０を構成する基板４５に対し、第一突出部４１が略直角に折り曲げられることで、取付具４０を補強することができる。また、取付具４０を構成する基板４５に対し、第二突出部４２が折り曲げられつつ延長形成されることで、取付具４０は、より補強される。また、基板４５に対し、一側片４３および他側片４４が略直角に折り曲げられることで、取付具４０は、さらに補強される。これにより、ステッピングモータ２０と、ステッピングモータ２０から延設されたリードスクリュー３０と、リードスクリュー３０を取り囲んで外部のものから保護する取付具４０を備えたステッピングモータ組立体５０を補強することができる。
【００５４】
図１の如く、光ディスク装置４００は、ステッピングモータ組立体５０（図１〜図３）が装着されるシャーシ２５０（図１，図４）を備えるものとされている。取付具４０（図２，図３）に設けられた第一突出部４１に対応して、光ディスク装置本体２００（図１）を構成するシャーシ２５０（図４，図５）に、突出部収容室２９１が設けられている。ステッピングモータ組立体５０（図２，図３）がシャーシ２５０（図４，図５）に取り付けられるときに、シャーシ２５０の突出部収容室２９１に、ステッピングモータ組立体５０（図２，図３）に備えられた第一突出部４１が合わせられる（図１）。ステッピングモータ組立体５０（図２，図３）を構成する取付具４０の第一突出部４１が、シャーシ２５０（図４，図５）の突出部収容室２９１内に挿入される（図１）。
【００５５】
これにより、例えばステッピングモータ組立体５０を備える光ディスク装置４００が落下して衝撃を受けたときに、光ディスク装置４００を構成するシャーシ２５０に加わる衝撃エネルギは、緩和される。具体的に説明すると、光ディスク装置４００の落下試験が行われたときに、光ディスク装置４００を構成するシャーシ２５０に加えられるダメージは、軽減される。ダメージ（damage）とは、例えば損害を意味する。
【００５６】
ステッピングモータ組立体５０がシャーシ２５０に取り付けられるときに、シャーシ２５０の突出部収容室２９１内に、ステッピングモータ組立体５０を構成する取付具４０の第一突出部４１が挿入されて合わせられるので、ステッピングモータ組立体５０を備える光ディスク装置４００のシャーシ２５０に衝撃が加えられたときに、シャーシ２５０の突出部収容室２９１に合わせられた取付具４０の第一突出部４１が、シャーシ２５０を歪めようとする力を受け止める。即ち、ステッピングモータ組立体５０を備える光ディスク装置４００のシャーシ２５０に衝撃が加えられたときに、衝撃エネルギは、シャーシ２５０の突出部収容室２９１に合わせられた取付具４０の第一突出部４１に伝達される。
【００５７】
ステッピングモータ組立体５０を備える光ディスク装置４００のシャーシ２５０に衝撃が加えられて、合成樹脂製シャーシ２５０に歪みが生じようとされたとしても、合成樹脂製シャーシ２５０の突出部収容室２９１に、金属製取付具４０の第一突出部４１が合わせられているので、衝撃により、合成樹脂製シャーシ２５０が、一瞬、大きく歪められるということは、回避される。合成樹脂製シャーシ２５０の歪みは、金属製取付具４０の第一突出部４１により制限される。従って、ステッピングモータ組立体５０とシャーシ２５０とを備える光ディスク装置４００に多少の衝撃が加えられることで、ディスク装置４００が使用不能になるという不具合の発生は、回避され易くなる。
【００５８】
ステッピングモータ組立体５０を備える光ディスク装置４００のシャーシ２５０に衝撃が加えられたことで、合成樹脂製シャーシ２５０に塑性変形が生じ、このことから、精度よく合成樹脂製シャーシ２５０に固定された一対のガイド軸８Ｉ，８IIの取付位置に狂いが生じ、その結果、一対のガイド軸８Ｉ，８IIに支持された光ピックアップ１０が、正確
に光ディスクの半径方向に沿って移動できなくなるといった不具合の発生は、回避され易くなる。
【００５９】
シャーシ２５０（図４，図５）に設けられた略矩形箱状の突出部収容部２９１は、ステッピングモータ組立体５０（図２，図３）を構成する取付具４０の第一突出部４１を取り囲む壁２６０（図４，図５）を備えるものとして構成されている。この壁２６０は、シャーシ２５０を構成する基壁２６１と、基壁２６１に対し略直交する方向に延設された周壁２６２と、シャーシ２５０を構成する基壁２６１に突設された隔壁２６３とを備えるものとして構成されている。
【００６０】
シャーシ２５０を備える光ディスク装置本体２００（図１）に大きい衝撃が加えられて、シャーシ２５０が大きく歪められようとされることがある。そのときに、光ディスク装置本体２００に加えられた衝撃エネルギを、取付具４０の第一突出部４１に効率よく伝達して、シャーシ２５０が大きく歪められることを防止する一対のリブ２７１，２７１（図４，図５）が、シャーシ２５０の壁２６０を構成する周壁２６２の内側に設けられている。各リブ２７１は、例えば円柱の一部を切り欠いて形成した湾曲部２７１ａ（図５）を備えるものとして形成されている。
【００６１】
シャーシ２５０を構成する周壁２６２の内側に、前記一対のリブ２７１，２７１が設けられていれば、例えばステッピングモータ組立体５０とシャーシ２５０とを備える光ディスク装置４００が、落下して衝撃を受けたときに、光ディスク装置４００を構成するシャーシ２５０に加わる衝撃エネルギは、緩和されることとなる。ステッピングモータ組立体５０とシャーシ２５０とを備える光ディスク装置４００に衝撃が加えられたときに、衝撃エネルギは、突出部収容室２９１を形成する周壁２６２の内側の各リブ２７１から取付具４０の第一突出部４１に効率よく伝わる。
【００６２】
ステッピングモータ組立体５０とシャーシ２５０とを備える光ディスク装置４００に大きい衝撃エネルギが加えられて、ディスク装置本体２００を構成する略円環状のシャーシに、一瞬、大きい歪みが生じようとされた場合、突出部収容室２９１を形成する周壁２６２の内側の各リブ２７１に、取付具４０の第一突出部４１が当接される。シャーシ２５０を歪めようとする力は、シャーシ２５０の突出部収容室２９１に合わせられた取付具４０の第一突出部４１により受け止められる。即ち、光ディスク装置４００を構成するシャーシ２５０に加えられた衝撃エネルギは、取付具４０の第一突出部４１を介して取付具４０に吸収される。従って、光ディスク装置４００に衝撃が加えられて光ディスク装置４００がダメージを受け、光ディスク装置４００が使用不能となる不具合の発生を、回避させ易くすることができる。
【００６３】
このように、補強構造を併せ持つ防振用の取付具４０が用いられることにより、光ディスク装置４００の防振特性および耐衝撃特性は、向上する。
【００６４】
シャーシ２５０を構成する周壁２６２に、一対のリブ２７１，２７１が設けられていれば、周壁２６２の強度は、僅かながら向上する。従って、ステッピングモータ組立体５０（図１〜図３）を備える光ディスク装置４００（図１）のシャーシ２５０（図１，図４）に大きい衝撃が加えられて、合成樹脂製シャーシ２５０に大きい歪みが生じようとされたときに、金属製取付具４０（図２，図３）の第一突出部４１に接する周壁２６２（図４，図５）は、塑性変形されることなく合成樹脂製シャーシ２５０の歪みを制限する。
【００６５】
また、図４および図５の如く、シャーシ２５０を構成する基壁２６１に突設された隔壁２６３は、複数の傾斜状リブ２６３ｒにより補強されている。複数の傾斜状リブ２６３ｒによって、隔壁２６３が補強されていれば、ステッピングモータ組立体５０（図１〜図３
）を備える光ディスク装置４００（図１）のシャーシ２５０（図１，図４）に大きい衝撃が加えられて、合成樹脂製シャーシ２５０に大きい歪みが生じようとされたときに、金属製取付具４０（図２，図３）の第一突出部４１に当接される隔壁２６３（図４，図５）は、塑性変形されることなく確実に合成樹脂製シャーシ２５０の歪みを制限する。
【００６６】
ステッピングモータ組立体５０（図１）がシャーシ２５０に取り付けられたときに、ステッピングモータ組立体５０の取付具４０の第一突出部４１は、突出部収容部２９１を構成する壁２６０に非接触な状態とされている。詳しく説明すると、ステッピングモータ組立体５０がシャーシ２５０に取り付けられたときに、ステッピングモータ組立体５０の取付具４０の第一突出部４１は、突出部収容室２９１を構成する基壁２６１と、周壁２６２の各リブ２７１と、隔壁２６３とに対し、非接触な状態とされている。
【００６７】
図１の如く、シャーシ２５０に、三つの合成ゴム製弾性部材３５０が取り付けられている。各合成ゴム製弾性部材３５０は、シャーシ２５０に設けられた略Ｕ字状装着部２８０ａ，２８０ｂ，２８０ｃ（図４）に嵌め付けられる（図１）。複数の合成ゴム製弾性部材３５０を備える光ディスク装置４００は、合成樹脂製トレー（図示せず）に取り付けられる。不図示のトレーに、不図示の光ディスクが装備される。複数の合成ゴム製弾性部材３５０を介して、光ディスク装置４００は、不図示のトレーに取り付けられるので、光ディスク装置４００に有害な振動が伝えられることは防止される。従って、光ディスク装置４００の光ピックアップ１０が用いられて、不図示の光ディスクにデータの記録が行われているときや、不図示の光ディスクのデータが読み取られているときに、光ディスク装置４００に有害な振動が伝えられ、この振動によって、光ディスク装置４００の光ピックアップ１０に誤動作が生じるということは、回避される。
【００６８】
光ディスク装置は、例えば、デスクトップ型パーソナルコンピュータや、ノート型パーソナルコンピュータなどの各種パーソナルコンピュータ（何れも図示せず）に装備可能なものとされる。デスクトップ型コンピュータは、卓上型のコンピュータとされ、机の上で使用可能なコンピュータとされているが、容易に持運びができないタイプのものとされている。
【００６９】
デスクトップ型パーソナルコンピュータに対し、ノート型パーソナルコンピュータは、軽量化、軽薄化が要求されることから、スリム型ドライブが装備されたディスク装置を備える構造のものとされている。ノート型のパーソナルコンピュータは、デスクトップ型のパーソナルコンピュータと異なる構造のものとされている。ノート型のパーソナルコンピュータは、ディスプレイと、パーソナルコンピュータ本体とが、一体構造のものとされ、パーソナルコンピュータ本体に対し、ディスプレイが折りたたまれることで、薄型サイズのものとなる。ノート型のパーソナルコンピュータは、このものが平面視されたときに略Ａ４判もしくはこれ以下の大きさの汎用パーソナルコンピュータとされ、ブック型パーソナルコンピュータとも呼ばれている。
【００７０】
光ディスク装置４００は、薄型構造のものとされていることから、薄型とされるノート型パーソナルコンピュータ（図示せず）に装備可能なものとされている。この光ディスク装置４００は、ノート型パーソナルコンピュータ専用の光ディスク装置４００とされている。
【００７１】
上記ディスク装置は、例えば、ノート型パーソナルコンピュータや、デスクトップ型パーソナルコンピュータなどのパーソナルコンピュータや、ＣＤプレーヤなどの音響機器や、ＤＶＤプレーヤなどの音響／映像機器などに装備可能なものとされる。また、上記光ディスク装置は、ＣＤ系光ディスクや、ＤＶＤ系光ディスク等の複数のメディアに対応可能なものとされる。本発明のディスク装置は、図示されたものに限定されるものではない。
本発明のものは、その要旨を逸脱しない範囲において、種々変更可能なものとされる。
【図面の簡単な説明】
【００７２】
【図１】本発明に係るディスク装置の一実施形態を示す斜視図である。
【図２】モータ組立体を示す斜視図である。
【図３】同じくモータ組立体を示す斜視図である。
【図４】シャーシを示す斜視図である。
【図５】図４の要部を示す拡大図である。
【符号の説明】
【００７３】
１０    光ピックアップ（ピックアップ）
２０    ステッピングモータ（モータ）
３０    リードスクリュー（送りねじ）
４０    取付具
４１    第一突出部（突出部）
４５    基板（基部）
５０    ステッピングモータ組立体（モータ組立体）
２００  光ディスク装置本体（ディスク装置本体）
２５０  シャーシ
２６０  壁
２７１  リブ
２９１  突出部収容室（突出部収容部）
４００  光ディスク装置（ディスク装置）
【図１】
2006079759.tif 000003
【図２】
2006079759.tif 000004
【図３】
2006079759.tif 000005
【図４】
2006079759.tif 000006
【図５】
2006079759.tif 000007